(57)【要約】【課題】熱による粘度上昇、湿気による反応を防止することが可能で、且つ安定した連続塗布を可能にし安定生産に寄与できる。【解決手段】加熱されて溶融状態となる固体状態のホットメルト接着剤２１を溶融し、塗布ヘッド４０に送液するホットメルト接着剤溶融送液装置１であって、ホットメルト接着剤２１を加熱して溶融する加熱手段４と、ホットメルト接着剤２１を加熱手段４に押し付ける押圧手段５と、溶融状態となったホットメルト接着剤２１を塗布ヘッド４０に供給する供給手段７とを備える。【選択図】図１
2006150245.tif 000002
【特許請求の範囲】
【請求項１】
加熱されて溶融状態となる固体状態のホットメルト接着剤を溶融し、塗布ヘッドに送液するホットメルト接着剤溶融送液装置であって、
前記ホットメルト接着剤を加熱して溶融する加熱手段と、
前記ホットメルト接着剤を前記加熱手段に押し付ける押圧手段と、
前記溶融状態となったホットメルト接着剤を塗布ヘッドに供給する供給手段とを備えることを特徴とするホットメルト接着剤溶融送液装置。
【請求項２】
前記加熱手段により前記固体状態のホットメルト接着剤を加熱する前に予熱する予熱手段を備えることを特徴とする請求項１に記載のホットメルト接着剤溶融送液装置。
【請求項３】
前記固体状態のホットメルト接着剤を複数個貯留するストレージ部を備え、
前記押圧手段は、前記ストレージ部から１個ずつ前記ホットメルト接着剤を前記加熱手段に押し付けることを特徴とする請求項１または請求項２に記載のホットメルト接着剤溶融送液装置。
【請求項４】
前記ストレージ部に複数個の前記ホットメルト接着剤が鉛直方向に重ねて貯留され、
前記押圧手段は、前記ストレージ部から１個ずつ供給される前記ホットメルト接着剤を水平方向へ移動して前記加熱手段に押し付けることを特徴とする請求項３に記載のホットメルト接着剤溶融送液装置。
【請求項５】
前記押圧手段の押し込む速度を変えることにより、前記固体状態のホットメルト接着剤の溶解量を制御する制御手段を備えることを特徴とする請求項１乃至請求項４のいずれか１項に記載のホットメルト接着剤溶融送液装置。
【請求項６】
前記制御手段は、装置の運転状態に応じて前記押圧手段の押し込む速度を変え、または押し込みを停止することを特徴とする請求項５に記載のホットメルト接着剤溶融送液装置。
【請求項７】
前記供給手段は、前記加熱されて溶融状態となったホットメルト接着剤を貯蔵する貯蔵タンクと、この貯蔵タンクに貯留するホットメルト接着剤を前記塗布ヘッドへ供給するホースと、このホースに備えられる供給ポンプとを有することを特徴とする請求項１に記載のホットメルト接着剤溶融送液装置。
【請求項８】
前記ホースの途中に、前記溶融状態となったホットメルト接着剤の温度を保つ機能と昇温機能を有する温度安定部を備えることを特徴とする請求項７に記載のホットメルト接着剤溶融送液装置。
【請求項９】
前記ホットメルト接着剤は、湿気反応型であることを特徴とする請求項１乃至請求項８のいずれか１項に記載のホットメルト接着剤溶融送液装置。
【請求項１０】
前記加熱手段と前記押圧手段とを密封供給部に配置し、
前記密封供給部に、前記ホットメルト接着剤の反応を規制する脱気または気体を供給する手段を備えることを特徴とする請求項１乃至請求項９のいずれか１項に記載のホットメルト接着剤溶融送液装置。
【請求項１１】
加熱されて溶融状態となる固体状態のホットメルト接着剤を溶融し、塗布ヘッドに送液するホットメルト接着剤溶融送液方法であって、
前記固体状態のホットメルト接着剤を押圧手段により加熱手段に押し付けて加熱しながら溶融し、
前記溶融状態となったホットメルト接着剤を、供給手段により前記塗布ヘッドに供給することを特徴とするホットメルト接着剤溶融送液方法。
【請求項１２】
前記固体状態のホットメルト接着剤を加熱する前に予熱手段により予熱することを特徴とする請求項１１に記載のホットメルト接着剤溶融送液方法。
【請求項１３】
前記固体状態のホットメルト接着剤をストレージ部に複数個貯留し、
前記押圧手段は、前記ストレージ部から前記ホットメルト接着剤を１個ずつ前記加熱手段に押し付けることを特徴とする請求項１１または請求項１２に記載のホットメルト接着剤溶融送液方法。
【請求項１４】
前記ストレージ部に複数個の前記ホットメルト接着剤が鉛直方向に重ねて貯留され、
前記押圧手段は、前記ストレージ部から１個ずつ供給される前記ホットメルト接着剤を水平方向へ移動して前記加熱手段に押し付けることを特徴とする請求項１３に記載のホットメルト接着剤溶融送液方法。
【請求項１５】
前記押圧手段の押し込む速度を変えることにより、前記ホットメルト接着剤の溶解量を制御することを特徴とする請求項１１乃至請求項１４のいずれか１項に記載のホットメルト接着剤溶融送液方法。
【請求項１６】
装置の運転状態に応じて前記押圧手段の押し込む速度を変え、または押し込みを停止することを特徴とする請求項１５に記載のホットメルト接着剤溶融送液方法。
【請求項１７】
前記加熱されて溶融状態となったホットメルト接着剤を貯蔵タンクに貯蔵し、この貯蔵タンクに貯留するホットメルト接着剤を供給ポンプの駆動によりホースを介して前記塗布ヘッドへ供給することを特徴とする請求項１１に記載のホットメルト接着剤溶融送液方法。
【請求項１８】
前記ホースの途中に温度安定部を備え、この温度安定部により前記溶融状態となったホットメルト接着剤の温度を保ちかつ昇温させることを特徴とする請求項１７に記載のホットメルト接着剤溶融送液方法。
【請求項１９】
前記ホットメルト接着剤は、湿気反応型であることを特徴とする請求項１１乃至請求項１８のいずれか１項に記載のホットメルト接着剤溶融送液方法。
【請求項２０】
前記加熱手段と前記押圧手段とを密封供給部に配置し、
前記密封供給部に、前記ホットメルト接着剤の反応を規制する脱気または気体を供給することを特徴とする請求項１１乃至請求項１９のいずれか１項に記載のホットメルト接着剤溶融送液方法。
【発明の詳細な説明】
【技術分野】
【０００１】
この発明は、固体状態のホットメルト接着剤を溶融し、塗布ヘッドに送液するホットメルト接着剤溶融送液装置及びホットメルト接着剤溶融送液方法に関するものである。
【背景技術】
【０００２】
従来より、自動車、繊維、建材、カード等の製造においてホットメルト接着剤が用いられ、このホットメルト接着剤は、ホットメルト接着剤を固体状態から溶融して液体状態に変換して使用される。このホットメルト接着剤の溶融は、例えば溶解タンクに投入したホットメルト接着剤をヒータで加熱して溶融し、塗布ヘッドへ供給する装置がある（例えば特許文献１）。
【特許文献１】特開平１０−３２８６０７号公報（第１頁〜第７頁、図１〜図１０）
【発明の開示】
【発明が解決しようとする課題】
【０００３】
このように、溶解タンクに投入したホットメルト接着剤をヒータにより加熱して溶融し、塗布ヘッドへ供給する装置では、タンク内に滞留するホットメルト接着剤が熱による粘度上昇やタンクに付着したホットメルト接着剤が湿気反応により固まり、このホットメルト接着剤が供給されると塗布ヘッドに詰まる問題があり、安定した塗布ができず、不良発生による塗布品質への影響が大きかった。
【０００４】
この発明は、かかる点に鑑みてなされたもので、熱による粘度上昇、湿気による反応を防止することが可能で、且つ安定した連続塗布を可能にし安定生産に寄与できるホットメルト接着剤溶融送液装置及びホットメルト接着剤溶融送液方法を提供することを目的としている。
【課題を解決するための手段】
【０００５】
前記課題を解決し、かつ目的を達成するために、この発明は、以下のように構成した。
【０００６】
請求項１に記載の発明は、加熱されて溶融状態となる固体状態のホットメルト接着剤を溶融し、塗布ヘッドに送液するホットメルト接着剤溶融送液装置であって、
前記ホットメルト接着剤を加熱して溶融する加熱手段と、
前記ホットメルト接着剤を前記加熱手段に押し付ける押圧手段と、
前記溶融状態となったホットメルト接着剤を塗布ヘッドに供給する供給手段とを備えることを特徴とするホットメルト接着剤溶融送液装置である。
【０００７】
請求項２に記載の発明は、前記加熱手段により前記固体状態のホットメルト接着剤を加熱する前に予熱する予熱手段を備えることを特徴とする請求項１に記載のホットメルト接着剤溶融送液装置である。
【０００８】
請求項３に記載の発明は、前記固体状態のホットメルト接着剤を複数個貯留するストレージ部を備え、
前記押圧手段は、前記ストレージ部から１個ずつ前記ホットメルト接着剤を前記加熱手段に押し付けることを特徴とする請求項１または請求項２に記載のホットメルト接着剤溶融送液装置である。
【０００９】
請求項４に記載の発明は、前記ストレージ部に複数個の前記ホットメルト接着剤が鉛直方向に重ねて貯留され、
前記押圧手段は、前記ストレージ部から１個ずつ供給される前記ホットメルト接着剤を水平方向へ移動して前記加熱手段に押し付けることを特徴とする請求項３に記載のホットメルト接着剤溶融送液装置である。
【００１０】
請求項５に記載の発明は、前記押圧手段の押し込む速度を変えることにより、前記固体状態のホットメルト接着剤の溶解量を制御する制御手段を備えることを特徴とする請求項１乃至請求項４のいずれか１項に記載のホットメルト接着剤溶融送液装置である。
【００１１】
請求項６に記載の発明は、前記制御手段は、装置の運転状態に応じて前記押圧手段の押し込む速度を変え、または押し込みを停止することを特徴とする請求項５に記載のホットメルト接着剤溶融送液装置である。
【００１２】
請求項７に記載の発明は、前記供給手段は、前記加熱されて溶融状態となったホットメルト接着剤を貯蔵する貯蔵タンクと、この貯蔵タンクに貯留するホットメルト接着剤を前記塗布ヘッドへ供給するホースと、このホースに備えられる供給ポンプとを有することを特徴とする請求項１に記載のホットメルト接着剤溶融送液装置である。
【００１３】
請求項８に記載の発明は、前記ホースの途中に、前記溶融状態となったホットメルト接着剤の温度を保つ機能と昇温機能を有する温度安定部を備えることを特徴とする請求項７に記載のホットメルト接着剤溶融送液装置である。
【００１４】
請求項９に記載の発明は、前記ホットメルト接着剤は、湿気反応型であることを特徴とする請求項１乃至請求項８のいずれか１項に記載のホットメルト接着剤溶融送液装置である。
【００１５】
請求項１０に記載の発明は、前記加熱手段と前記押圧手段とを密封供給部に配置し、
前記密封供給部に、前記ホットメルト接着剤の反応を規制する脱気または気体を供給する手段を備えることを特徴とする請求項１乃至請求項９のいずれか１項に記載のホットメルト接着剤溶融送液装置である。
【００１６】
請求項１１に記載の発明は、加熱されて溶融状態となる固体状態のホットメルト接着剤を溶融し、塗布ヘッドに送液するホットメルト接着剤溶融送液方法であって、
前記固体状態のホットメルト接着剤を押圧手段により加熱手段に押し付けて加熱しながら溶融し、
前記溶融状態となったホットメルト接着剤を、供給手段により前記塗布ヘッドに供給することを特徴とするホットメルト接着剤溶融送液方法である。
【００１７】
請求項１２に記載の発明は、前記固体状態のホットメルト接着剤を加熱する前に予熱手段により予熱することを特徴とする請求項１１に記載のホットメルト接着剤溶融送液方法である。
【００１８】
請求項１３に記載の発明は、前記固体状態のホットメルト接着剤をストレージ部に複数個貯留し、
前記押圧手段は、前記ストレージ部から前記ホットメルト接着剤を１個ずつ前記加熱手段に押し付けることを特徴とする請求項１１または請求項１２に記載のホットメルト接着剤溶融送液方法である。
【００１９】
請求項１４に記載の発明は、前記ストレージ部に複数個の前記ホットメルト接着剤が鉛直方向に重ねて貯留され、
前記押圧手段は、前記ストレージ部から１個ずつ供給される前記ホットメルト接着剤を水平方向へ移動して前記加熱手段に押し付けることを特徴とする請求項１３に記載のホットメルト接着剤溶融送液方法である。
【００２０】
請求項１５に記載の発明は、前記押圧手段の押し込む速度を変えることにより、前記ホットメルト接着剤の溶解量を制御することを特徴とする請求項１１乃至請求項１４のいずれか１項に記載のホットメルト接着剤溶融送液方法である。
【００２１】
請求項１６に記載の発明は、装置の運転状態に応じて前記押圧手段の押し込む速度を変え、または押し込みを停止することを特徴とする請求項１５に記載のホットメルト接着剤溶融送液方法である。
【００２２】
請求項１７に記載の発明は、前記加熱されて溶融状態となったホットメルト接着剤を貯蔵タンクに貯蔵し、この貯蔵タンクに貯留するホットメルト接着剤を供給ポンプの駆動によりホースを介して前記塗布ヘッドへ供給することを特徴とする請求項１１に記載のホットメルト接着剤溶融送液方法である。
【００２３】
請求項１８に記載の発明は、前記ホースの途中に温度安定部を備え、この温度安定部により前記溶融状態となったホットメルト接着剤の温度を保ちかつ昇温させることを特徴とする請求項１７に記載のホットメルト接着剤溶融送液方法である。
【００２４】
請求項１９に記載の発明は、前記ホットメルト接着剤は、湿気反応型であることを特徴とする請求項１１乃至請求項１８のいずれか１項に記載のホットメルト接着剤溶融送液方法である。
【００２５】
請求項２０に記載の発明は、前記加熱手段と前記押圧手段とを密封供給部に配置し、
前記密封供給部に、前記ホットメルト接着剤の反応を規制する脱気または気体を供給することを特徴とする請求項１１乃至請求項１９のいずれか１項に記載のホットメルト接着剤溶融送液方法である。
【発明の効果】
【００２６】
前記構成により、この発明は、以下のような効果を有する。
【００２７】
請求項１及び請求項１１に記載の発明によれば、固体状態のホットメルト接着剤を押圧手段により加熱手段に押し付けて加熱しながら溶融し、溶融状態となったホットメルト接着剤を、供給手段により塗布ヘッドに供給することで、溶解を連続的に行うことと、必要な量を溶解しながら加工することにより、ホットメルト接着剤が長時間加熱による粘度上昇、及び湿気による反応を防止することが可能で、低コストで安定生産に寄与できる。
【００２８】
請求項２及び請求項１２に記載の発明によれば、固体状態のホットメルト接着剤を加熱する前に予熱手段により予熱することで、短時間に加熱しながら溶融することができ、溶解効率が向上する。
【００２９】
請求項３及び請求項１３に記載の発明によれば、固体状態のホットメルト接着剤をストレージ部に複数個貯留し、押圧手段は、ストレージ部からホットメルト接着剤を１個ずつ加熱手段に押し付けることで、溶解を連続的に行うことと、必要な量を溶解しながら加工することにより、ホットメルト接着剤が長時間加熱による粘度上昇、及び湿気による反応を防止することが可能である。
【００３０】
請求項４及び請求項１４に記載の発明によれば、ストレージ部に複数個のホットメルト接着剤が鉛直方向に重ねて貯留され、押圧手段は、ストレージ部から１個ずつ供給されるホットメルト接着剤を水平方向へ移動して加熱手段に押し付けることで、複数個のホットメルト接着剤を１個ずつ円滑に移動して溶解を連続的に行うことと、必要な量を溶解しながら加工することができる。
【００３１】
請求項５及び請求項１５に記載の発明によれば、押圧手段の押し込む速度を変えることにより、ホットメルト接着剤の溶解量を制御し、必要な量を溶解しながら加工することができる。
【００３２】
請求項６及び請求項１６に記載の発明によれば、装置の運転状態に応じて押圧手段の押し込む速度を変え、または押し込みを停止することで、無駄な溶解を防止できる。
【００３３】
請求項７及び請求項１７に記載の発明によれば、加熱されて溶融状態となったホットメルト接着剤を貯蔵タンクに貯蔵し、この貯蔵タンクに貯留するホットメルト接着剤を供給ポンプの駆動によりホースを介して塗布ヘッドへ供給することができる。
【００３４】
請求項８及び請求項１８に記載の発明によれば、ホースの途中に温度安定部を備え、この温度安定部により溶融状態となったホットメルト接着剤の温度を保ちかつ昇温させる。ホットメルト接着剤を低い温度で溶融し、貯蔵タンクに貯蔵し、塗布ヘッドに供給する前に昇温する方が、熱による粘度上昇を防止することが可能となって安定化することができる。
【００３５】
請求項９及び請求項１９に記載の発明によれば、ホットメルト接着剤は、湿気反応型であり、湿気による反応を防止することが可能である。
【００３６】
請求項１０及び請求項２０に記載の発明によれば、加熱手段と押圧手段とを密封供給部に配置し、密封室に、ホットメルト接着剤の反応を規制する脱気または気体を供給し、熱による粘度上昇、湿気による反応を防止することが可能である。
【発明を実施するための最良の形態】
【００３７】
以下、この発明のホットメルト接着剤溶融送液装置及びホットメルト接着剤溶融送液方法の実施の形態について説明する。この発明の実施の形態は、発明の最も好ましい形態を示すものであり、この発明はこれに限定されない。
【００３８】
図１及び図２にホットメルト接着剤溶融送液装置及びホットメルト接着剤溶融送液方法を示す。図１はホットメルト接着剤の押圧状態を示す図、図２はホットメルト接着剤の供給状態を示す図である。この実施の形態のホットメルト接着剤溶融送液装置及びホットメルト接着剤溶融送液方法は、自動車、繊維、建材、カード等の製造において用いられ、ホットメルト接着剤を固体状態から溶融して液体状態に変換して使用される。
【００３９】
このホットメルト接着剤溶融送液装置１は、装置本体２には密封供給部３が備えられ、この密封供給部３には加熱手段４と押圧手段５とが配置されている。また、装置本体２には、ストレージ部６及び供給手段７が備えられている。このストレージ部６の下部には支持ストッパー８ａ，８ｂが設けられ、上部には密閉蓋９が設けられている。
【００４０】
円筒形の固体状態のホットメルト接着剤２１は、湿気反応しないように防湿袋２０に収納されている。このホットメルト接着剤２１を使用する時に、防湿袋２０から取り出し、この円筒形の固体状態のホットメルト接着剤２１をストレージ部６に供給する。
【００４１】
このストレージ部６は、複数個のホットメルト接着剤２１が鉛直方向に重ねて貯留可能に形成され、ストレージ部６の上部には、密閉蓋９が設けられている。ストレージ部６に収納される最下部のホットメルト接着剤２１は支持ストッパー８ａによって保持され、最下部の上段のホットメルト接着剤２１は支持ストッパー８ｂによって保持されている。支持ストッパー８ａ，８ｂは制御手段５０によって開閉制御される。
【００４２】
密封供給部３には、ストレージ部６から１個ずつホットメルト接着剤２１が支持ストッパー８ａ，８ｂの開閉によって供給され、１個または複数個のホットメルト接着剤２１が水平方向に移動可能に収納される。この実施の形態の密封供給部３には、２個のホットメルト接着剤２１が収納可能になっている。
【００４３】
密封供給部３の先端部には、加熱手段４が設けられ、この加熱手段４の後方には予熱手段３０が設けられている。加熱手段４は、多数の細孔４ａ１を有する板状のヒータ４ａで構成され、ホットメルト接着剤２１がヒータ４ａによって加熱されて溶融する。この溶融した液体状態のホットメルト接着剤２１は、ヒータ４ａの多数の細孔４ａ１を通って流れて供給手段７へ供給され、供給手段７によって塗布ヘッド４０に送液する。予熱手段３０は、コイル状の予熱ヒータ３０ａで構成され、加熱手段４により固体状態のホットメルト接着剤２１を加熱する前に予熱する。
【００４４】
密封供給部３には、押圧手段５が設けられている。この押圧手段５によってホットメルト接着剤２１を加熱手段４に押し付ける。押圧手段５は、ピストン５ａと、ロッド５ｂを有している。ピストン５ａの外周には、シール部材５ｃが設けられ、シール部材５ｃによってピストン５ａと密封供給部３の内壁との間がシールされている。
【００４５】
密封供給部３には、検出センサＳ１が設けられ、検出センサＳ１はホットメルト接着剤２１の検出情報を制御手段５０に送る。制御手段５０は検出センサＳ１からの検出情報に基づきホットメルト接着剤２１の溶融状態を管理し、図２に示すように、ホットメルト接着剤２１が検出されなくなると、押圧手段５を後退させて密封供給部３に供給スペース５１を確保する。
【００４６】
この供給スペース５１が確保された状態で、制御手段５０は支持ストッパー８ａを開き、最下部のホットメルト接着剤２１が供給スペース５１に落下して供給される。最下部のホットメルト接着剤２１が供給されると、支持ストッパー８ａが閉じ、支持ストッパー８ｂを開き上段のホットメルト接着剤２１が落下して支持ストッパー８ａによって保持される。そして、支持ストッパー８ｂを閉じ、上段のホットメルト接着剤２１を保持する。
【００４７】
密封供給部３の供給スペース５１にホットメルト接着剤２１が供給されると、制御手段５０は押圧手段５を前進させてホットメルト接着剤２１を水平方向へ移動し、前段のホットメルト接着剤２１を押して加熱手段に押し付ける。
【００４８】
このように、密封供給部３に設けた検出センサＳ１によってホットメルト接着剤２１が検出されなくなると、ストレージ部６から１個ずつホットメルト接着剤２１を供給して加熱手段４に押し付ける。
【００４９】
制御手段５０は、装置の運転状態情報に基づいて、押圧手段５の押し込む速度を変えることにより、固体状態のホットメルト接着剤２１の溶解量を制御することができる。また、制御手段５０は、装置の運転状態に応じて押圧手段５の押し込みを停止する。装置の運転状態情報として、例えば予熱手段３０や加熱手段４の加熱温度、固体状態のホットメルト接着剤２１の種類、ホットメルト接着剤の塗布量等の情報、あるいは装置の故障情報等がある。
【００５０】
この実施の形態の供給手段７は、加熱されて溶融状態となったホットメルト接着剤２１を貯蔵する貯蔵タンク７０と、この貯蔵タンク７０に貯留するホットメルト接着剤２１を塗布ヘッド４０へ供給するホース７１と、このホース７１に備えられる供給ポンプ７２とを有し、溶融状態となったホットメルト接着剤２１を塗布ヘッド４０に供給する。この貯蔵タンク７０と供給ポンプ７２との間には、フィルタ７３が配置され、さらに供給ポンプ７２と塗布ヘッド４０との間には、温度安定部７４、フィルタ７５が順に配置されている。
【００５１】
ホース７１の途中に配置されるフィルタ７３，７５は、溶融状態となったホットメルト接着剤２１に混入する不純物を除去し、高品質のホットメルト接着剤２１を塗布ヘッド４０へ供給する。また、ホース７１の途中に配置される温度安定部７４は、スタチックミキサーで構成され、溶融状態となったホットメルト接着剤２１の温度を保ちかつ昇温させる。ホットメルト接着剤を低い温度で溶融し、貯蔵タンクに貯蔵し、塗布ヘッドに供給する前に昇温する方が、熱による粘度上昇を防止することが可能となって安定化することができる。
【００５２】
また、供給ポンプ７２の前段と貯蔵タンク７０との間には、リターンホース８０が設けられ、このリターンホース８０にはリリーフ弁８１が配置されている。リリーフ弁８１は、供給ポンプ７２が連続運転の状態で塗布ヘッド４０の塗布が停止するとホース７１内の圧力が上昇するので圧力上昇を押さえるために配置されている。
【００５３】
即ち、ホットメルト接着剤溶融送液装置１が間欠運転してホットメルト接着剤２１を塗布する場合に、塗布ヘッド４０の塗布が停止されることでホース７１内の圧力が上昇するとリリーフ弁８１が開いてホットメルト接着剤２１を貯蔵タンク７０へ戻してホース７１内の圧力上昇を抑える。
【００５４】
また、この実施の形態のホットメルト接着剤２１は、湿気反応型であり、湿気による反応を防止するように、密封供給部３に反応を規制する脱気または気体を供給する手段９０を備える。脱気または気体を供給する手段９０としては、例えば真空脱気装置を用いて真空脱気を行い、また窒素ガスまたはドライエアーを供給する。
【００５５】
この実施の形態では、制御手段５０の制御で押圧手段５を駆動し、固体状態のホットメルト接着剤２１を加熱手段４に押し付けて加熱しながら溶融し、溶融状態となったホットメルト接着剤２１を、供給手段７により塗布ヘッドに供給することで、固体状態のホットメルト接着剤２１の溶解を連続的に行うことと、必要な量を溶解しながら加工することができる。したがって、溶融されたホットメルト接着剤２１の長時間加熱による粘度上昇、及び湿気による反応を防止することが可能で、低コストで安定生産に寄与できる。
【００５６】
また、固体状態のホットメルト接着剤２１を加熱する前に予熱手段３０により予熱することで、短時間に加熱しながら溶融することができ、溶解効率が向上する。また、固体状態のホットメルト接着剤２１をストレージ部６に複数個貯留し、ストレージ部６からホットメルト接着剤２１を１個ずつ密封供給部３に供給し、押圧手段５によりホットメルト接着剤２１を加熱手段４に押し付けることで、溶解を連続的に行うことと、必要な量を溶解しながら加工することができる。
【００５７】
また、押圧手段５の押し込む速度を変えることにより、ホットメルト接着剤２１の溶解量を制御し、必要な量を溶解しながら加工することができる。または押し込みを停止することで、無駄な溶解を防止できる。
【産業上の利用可能性】
【００５８】
この発明は、固体状態のホットメルト接着剤を押圧手段により加熱手段に押し付けて加熱しながら溶融し、溶融状態となったホットメルト接着剤を、供給手段により塗布ヘッドに供給することで、溶解を連続的に行うことと、必要な量を溶解しながら加工することにより、ホットメルト接着剤が長時間加熱による粘度上昇、及び湿気による反応を防止することが可能で、低コストで安定生産に寄与できる。
【図面の簡単な説明】
【００５９】
【図１】ホットメルト接着剤の押圧状態を示す図である。
【図２】ホットメルト接着剤の供給状態を示す図である。
【符号の説明】
【００６０】
１  ホットメルト接着剤溶融送液装置
２  装置本体
３  密封供給部
４  加熱手段
５  押圧手段
６  ストレージ部
７  供給手段
２１  ホットメルト接着剤
４０  塗布ヘッド
【図１】
2006150245.tif 000003
【図２】
2006150245.tif 000004